(57)【要約】【課題】磁気テープ記録再生装置におけるデータ読込み時のリードエラーを低下させ、読取りデータの信頼性を確保する。【解決手段】磁気テープＭＴに記録されたｎトラックのデータが磁気ヘッド５１ｎで読み出され、読み出されたデータＡｎが増幅器５２ｎで増幅されてデータＢｎが出力される。データＢｎは、ＡＧＣ回路６０ｎで設定された特性に基づいて波形整形が行われると共に所定の振幅値に調整され、同ＡＧＣ回路６０ｎから再生データＤｎが出力される。この場合、ＡＧＣ回路６０ｎでは、データＢｎがＧＣＡ６１ｎで増幅され、データＣｎが出力される。データＣｎは、イコライザ７０ｎでピークシフト量Ｌｎが減少するように係数Ｐｎａ，Ｐｎｂが設定された特性に基づいて波形整形され、同イコライザ７０ｎから再生データＤｎが出力される。【選択図】　　　　図１
2004110974.tif 000002
【特許請求の範囲】
【請求項１】
波形整形用の繰り返し磁化パターンが書き込まれている磁気テープ上のｎ個（ｎ；２以上の任意の自然数）のトラックに記録されたデータを再生する磁気テープ記録再生装置であって、
前記ｎ個のトラックと１対１に対応して設けられ、前記各トラックに記録されたデータを読み出すためのｎ個の磁気ヘッドと、
前記ｎ個の磁気ヘッドと１対１に対応して設けられ、前記各磁気ヘッドで読み出された前記各データに対して、設定された係数に基づいて波形整形を行って再生データを出力するｎ個の波形整形部と、
前記ｎ個の磁気ヘッドと１対１に対応して設けられ、前記繰り返し磁化パターンの磁化反転時点に対する前記再生データ中の前記繰り返し磁化パターンの波形のピークが到来する時点の時間差を表すピークシフト量を求め、該ピークシフト量に基づいて前記各波形整形部の前記係数を設定するｎ個の係数設定部とを備えてなることを特徴とする磁気テープ記録再生装置。
【請求項２】
波形整形用の繰り返し磁化パターンが書き込まれている磁気テープ上のｎ個（ｎ；２以上の任意の自然数）のトラックに記録されたデータを再生する磁気テープ記録再生装置であって、
前記ｎ個のトラックと１対１に対応して設けられ、前記各トラックに記録されたデータを読み出すためのｎ個の磁気ヘッドと、
前記ｎ個の磁気ヘッドと１対１に対応して設けられ、前記各磁気ヘッドで読み出された前記各データに対して、設定された係数に基づいて波形整形を行って再生データを出力するｎ個の波形整形部と、
前記各波形整形部に対応して設けられ、前記再生データ中の前記繰り返し磁化パターンを認識してパターン認識信号を出力すると共に、前記繰り返し磁化パターンの磁化反転時点を出力するｎ個の制御部と、
前記ｎ個の磁気ヘッドと１対１に対応して設けられ、前記制御部から前記パターン認識信号が出力されたとき、前記繰り返し磁化パターンの前記磁化反転時点に対する前記再生データ中の前記繰り返し磁化パターンの波形のピークが到来する時点の時間差を表すピークシフト量を求め、該ピークシフト量に基づいて前記各波形整形部の前記係数を設定するｎ個の係数設定部とを備えてなることを特徴とする磁気テープ記録再生装置。
【請求項３】
前記各係数設定部は、
前記ピークシフト量が減少するように前記各波形整形部の前記係数を設定する構成にされていることを特徴とする請求項１又は２記載の磁気テープ記録再生装置。
【請求項４】
前記各係数設定部は、
前記各波形整形部から出力された前記再生データのピークを検出するピーク検出部と、
前記ピーク検出部で検出された前記ピークの時間間隔と前記繰り返し磁化パターンの磁化反転時点とに基づいて前記ピークシフト量を演算するピークシフト演算部と、
前記各波形整形部に設定されている前記係数を前記ピークシフト演算部で算出された前記ピークシフト量の変化に対応して補正するための補正値を生成し、前記各波形整形部に設定されている前記係数と前記補正値とを比較し、この比較結果に基づいて前記係数を更新する係数比較部とから構成されていることを特徴とする請求項１、２又は３記載の磁気テープ記録再生装置。
【請求項５】
前記係数比較部は、
前記各波形整形部に設定されている前記係数を前記ピークシフト演算部で算出された前記ピークシフト量の変化に対応して補正するための補正値を生成する補正回路と、
前記各波形整形部に設定されている前記係数と前記補正値とを比較し、この比較結果に基づいて前記係数を更新する係数比較回路とから構成されていることを特徴とする請求項４記載の磁気テープ記録再生装置。
【請求項６】
磁気テープに設定されたｎ個（ｎ；２以上の任意の自然数）のトラック上に記録されたデータを再生する磁気テープ記録再生装置に用いられ、波形整形用の繰り返し磁化パターンを前記磁気テープに書き込んでおき、再生データの波形を前記繰り返し磁化パターンに基づいて整形する波形整形方法であって、
前記繰り返し磁化パターンの磁化反転時点に対する前記再生データ中の前記繰り返し磁化パターンの波形のピークが到来する時点の時間差を表すピークシフト量を求め、該ピークシフト量に基づいて波形整形用の係数を設定する係数設定処理と、
前記磁気テープに設定されたｎ個のトラック上のデータを読み出し、読み出された前記各データに対して、設定された前記係数に基づいて波形整形を行って前記再生データを出力する波形整形処理とを行うことを特徴とする波形整形方法。
【請求項７】
磁気テープに設定されたｎ個（ｎ；２以上の任意の自然数）のトラック上に記録されたデータを再生する磁気テープ記録再生装置に用いられ、波形整形用の繰り返し磁化パターンを前記磁気テープに書き込んでおき、再生データの波形を前記繰り返し磁化パターンに基づいて整形する波形整形方法であって、
前記再生データ中の前記波形整形用磁化パターンを認識してパターン認識信号を出力するパターン認識処理と、
前記パターン認識信号が出力されたとき、前記繰り返し磁化パターンの磁化反転時点に対する前記再生データ中の前記繰り返し磁化パターンの波形のピークが到来する時点の時間差を表すピークシフト量を求め、該ピークシフト量に基づいて波形整形用の係数を設定する係数設定処理と、
前記磁気テープに設定されたｎ個のトラック上のデータを読み出し、読み出された前記各データに対して、設定された前記係数に基づいて波形整形を行って前記再生データを出力する波形整形処理とを行うことを特徴とする波形整形方法。
【請求項８】
前記係数設定処理では、
前記ピークシフト量が減少するように前記係数を設定することを特徴とする請求項６又は７記載の波形整形方法。
【請求項９】
前記係数設定処理では、
前記再生データのピークを検出するピーク検出処理と、
前記ピーク検出処理で検出された前記ピークの時間間隔と前記繰り返し磁化パターンの磁化反転時点とに基づいて前記ピークシフト量を演算するピークシフト演算処理と、
設定されている前記係数を前記ピークシフト演算処理で算出された前記ピークシフト量の変化に対応して補正するための補正値を生成する補正値生成処理と、設定されている前記係数と前記補正値とを比較し、この比較結果に基づいて前記係数を更新する係数更新処理とを行うことを特徴とする請求項６、７又は８記載の波形整形方法。
【発明の詳細な説明】
【０００１】
【発明の属する技術分野】
この発明は、磁気テープ記録再生装置、及び該磁気テープ記録再生装置に用いられる波形整形方法に係り、特に、コンピュータの補助記憶装置として用いて好適な磁気テープ記録再生装置、及び該磁気テープ記録再生装置に用いられる波形整形方法に関する。
【０００２】
【従来の技術】
コンピュータによるデータ処理では、入力されたデータが一時的に主記憶装置に記憶される。この主記憶装置は、記憶容量に限度があり、また、一般にコンピュータの電源を切ると記憶内容が消失される揮発性記憶装置である。このため、大量のデータの保存やプログラムの保管は困難である。そこで、大量のデータの保存やプログラムを保管するための補助記憶装置が設けられる。そして、当面必要のないデータやプログラムは、主記憶装置から補助記憶装置に退避され、必要に応じて補助記憶装置から主記憶装置に戻して処理される。
【０００３】
補助記憶装置としては、磁気テープ記録再生装置、磁気ディスク装置、フレキシブルディスク装置、ハードディスク装置、光磁気ディスク装置などがある。これらのうち、磁気テープ記録再生装置は、コンピュータ開発の初期の段階から、
（１）取扱いが容易なこと、（２）記録媒体（磁気テープ）が安価であること、（３）体積当りの記憶容量が大きいこと、（４）大量のデータを蓄積できること、及び（５）データ交換に使用できることなどから、広く使用されている。しかし、シーケンシャル記録であるため、アクセス時間が長いという欠点があり、近年では、主に磁気ディスク装置のバックアップ用として使用されることが多い。
【０００４】
この種の磁気テープ記録再生装置は、従来では例えば図１０に示すものがあった。
この磁気テープ記録再生装置１０は、同図１０に示すように、磁気ヘッド１１ｎ（ｎ＝２，…，Ｎ、たとえば、Ｎ＝９）と、増幅器１２ｎと、ＡＧＣ（Ａｕｔｏ　ＧａｉｎＣｏｎｔｒｏｌ　）回路２０ｎと、ドライブ制御回路４０とから構成されている。磁気ヘッド１１ｎは、磁気テープＭＴに記録されたｎトラックのデータを読み出す。増幅器１２ｎは、磁気ヘッド１１ｎで読み出されたデータＡｎを増幅してデータＢｎを出力する。
【０００５】
ＡＧＣ回路２０ｎは、ＧＣＡ（ＧａｉｎＣｏｎｔｒｏｌ　Ａｍｐ）２１ｎと、全波整流回路２２ｎと、帰還増幅器２３ｎと、イコライザ３０ｎとから構成されている。ＧＣＡ２１ｎは、制御電圧Ｆｎによって増幅率が変化し、データＢｎを増幅してデータＣｎを出力する。イコライザ３０ｎは、データＣｎに対して所定の周波数特性に基づいて波形整形を行い、再生データＤｎを出力する。全波整流回路２２ｎは、再生データＤｎに対して全波整流してデータＥｎを出力する。帰還増幅器２３ｎは、データＥｎを増幅して制御電圧Ｆｎを出力し、ＧＣＡ２１ｎに供給する。このＡＧＣ回路２０ｎは、データＢｎに対して所定の周波数特性に基づいて波形整形を行うと共に所定の振幅値に調整して再生データＤｎを出力する。ドライブ制御回路４０は、再生データＤｎに対して、たとえばアナログ／ディジタル変換（以下、「Ａ／Ｄ変換」という）など、所定の処理を行う。
【０００６】
図１１は、図１０中のイコライザ３０ｎの電気的構成の一例を示すブロック図である。
このイコライザ３０ｎは、遅延線（Ｄｅｌａｙ　Ｌｉｎｅ）３１ｎと、増幅器３２ｎと、演算回路３３ｎとから構成されている。遅延線３１ｎは、データＣｎに対して所定の時間遅れを与えて遅延データＧｎを出力する。増幅器３２ｎは、データＣｎに対して所定の増幅率で増幅してデータＨｎを出力する。演算回路３３ｎは、遅延データＧｎとデータＨｎとを演算（たとえば、加算や減算など）して再生データＤｎを出力する。
【０００７】
この磁気テープ記録再生装置１０では、磁気テープＭＴに記録されたｎトラックのデータが磁気ヘッド１１ｎで読み出され、同磁気ヘッド１１ｎで読み出されたデータＡｎが増幅器１２ｎで増幅されてデータＢｎが出力される。データＢｎは、ＡＧＣ回路２０ｎで所定の周波数特性に基づいて波形整形が行われると共に所定の振幅値に調整され、同ＡＧＣ回路２０ｎから再生データＤｎが出力される。この場合、ＧＣＡ２１ｎの増幅率は制御電圧Ｆｎによって制御され、データＢｎが同ＧＣＡ２１ｎで増幅され、同ＧＣＡ２１ｎからデータＣｎが出力される。データＣｎは、イコライザ３０ｎで所定の周波数特性に基づいて波形整形され、同イコライザ３０ｎから再生データＤｎが出力される。再生データＤｎは全波整流回路２２ｎで全波整流され、同全波整流回路２２ｎからデータＥｎが出力される。データＥｎは帰還増幅器２３ｎで増幅され、同帰還増幅器２３ｎから前記制御電圧Ｆｎが出力される。この後、再生データＤｎは、ドライブ制御回路４０に入力されて所定の処理が行われる。
【０００８】
また、上記の磁気テープ記録再生装置１０の他、従来の磁気テープ記録再生装置では、周波数の異なる複数のテスト信号を磁気記録媒体に記録し、この磁気記録媒体の周波数特性を判断することにより、同磁気記録媒体に応じたイコライザの周波数特性の補正が行われる（たとえば、特許文献１参照）。
また、他の磁気テープ記録再生装置では、磁気テープの空きエリアに複数の単一周波数の信号を記録しておき、再生時に前記各単一周波数の信号のレベルが検出され、この検出結果に基づいてイコライザの周波数特性が設定される（たとえば、特許文献２参照）。
【０００９】
【特許文献１】
特開平０６−０３６２０４号公報（第４頁、図３）
【特許文献２】
特開２０００−０１１３１１号公報（第３−４頁、図１）
【００１０】
【発明が解決しようとする課題】
しかしながら、上記従来の磁気テープ記録再生装置では、次のような問題点があった。
すなわち、図１０の磁気テープ記録再生装置１０では、磁気ヘッド１１ｎの特性に、ばらつきや経時変化が存在する。また、磁気テープＭＴには、その種類や使用状態（使用頻度）によって磁化状態にばらつきや経時変化がある。また、磁気テープＭＴのデータを読み取るとき、イコライザ３０ｎから出力される再生データＤｎの波形は、同磁気テープＭＴに記録されたデータの各磁化反転時点に対応した各孤立波の波形が重畳されたものである。このため、各孤立波の波形の干渉により、再生データＤｎの波形のピークには、各磁化反転時点に対する時間差であるピークシフトが発生することが多い。そして、このピークシフトの量が、磁気ヘッド１１ｎの特性及び磁気テープＭＴの磁化状態のばらつきや経時変化の影響によって変動する。このため、再生データＤｎにリードエラーが発生することがあり、信頼性がないというという問題点があった。
【００１１】
また、前記特許文献１及び特許文献２に記載された磁気テープ記録再生装置では、イコライザの周波数特性が調整されるが、ピークシフトの発生に対しては回避が困難であるという問題点があった。
【００１２】
この発明は、上述の事情に鑑みてなされたもので、磁気テープ再生時のリードエラーを低下させ、再生データの信頼性を確保した磁気テープ記録再生装置、及び該磁気テープ記録再生装置に用いられる波形整形方法を提供することを目的としている。
【００１３】
【課題を解決するための手段】
上記課題を解決するために、請求項１記載の発明は、波形整形用の繰り返し磁化パターンが書き込まれている磁気テープ上のｎ個（ｎ；２以上の任意の自然数）のトラックに記録されたデータを再生する磁気テープ記録再生装置に係り、前記ｎ個のトラックと１対１に対応して設けられ、前記各トラックに記録されたデータを読み出すためのｎ個の磁気ヘッドと、前記ｎ個の磁気ヘッドと１対１に対応して設けられ、前記各磁気ヘッドで読み出された前記各データに対して、設定された係数に基づいて波形整形を行って再生データを出力するｎ個の波形整形部と、前記ｎ個の磁気ヘッドと１対１に対応して設けられ、前記繰り返し磁化パターンの磁化反転時点に対する前記再生データ中の前記繰り返し磁化パターンの波形のピークが到来する時点の時間差を表すピークシフト量を求め、該ピークシフト量に基づいて前記各波形整形部の前記係数を設定するｎ個の係数設定部とを備えてなることを特徴としている。
【００１４】
請求項２記載の発明は、波形整形用の繰り返し磁化パターンが書き込まれている磁気テープ上のｎ個（ｎ；２以上の任意の自然数）のトラックに記録されたデータを再生する磁気テープ記録再生装置に係り、前記ｎ個のトラックと１対１に対応して設けられ、前記各トラックに記録されたデータを読み出すためのｎ個の磁気ヘッドと、前記ｎ個の磁気ヘッドと１対１に対応して設けられ、前記各磁気ヘッドで読み出された前記各データに対して、設定された係数に基づいて波形整形を行って再生データを出力するｎ個の波形整形部と、前記各波形整形部に対応して設けられ、前記再生データ中の前記繰り返し磁化パターンを認識してパターン認識信号を出力すると共に、前記繰り返し磁化パターンの磁化反転時点を出力するｎ個の制御部と、前記ｎ個の磁気ヘッドと１対１に対応して設けられ、前記制御部から前記パターン認識信号が出力されたとき、前記繰り返し磁化パターンの前記磁化反転時点に対する前記再生データ中の前記繰り返し磁化パターンの波形のピークが到来する時点の時間差を表すピークシフト量を求め、該ピークシフト量に基づいて前記各波形整形部の前記係数を設定するｎ個の係数設定部とを備えてなることを特徴としている。
【００１５】
請求項３記載の発明は、請求項１又は２記載の磁気テープ記録再生装置に係り、前記各係数設定部は、前記ピークシフト量が減少するように前記各波形整形部の前記係数を設定する構成にされていることを特徴としている。
【００１６】
請求項４記載の発明は、請求項１、２又は３記載の磁気テープ記録再生装置に係り、前記各係数設定部は、前記各波形整形部から出力された前記再生データのピークを検出するピーク検出部と、前記ピーク検出部で検出された前記ピークの時間間隔と前記繰り返し磁化パターンの磁化反転時点とに基づいて前記ピークシフト量を演算するピークシフト演算部と、前記各波形整形部に設定されている前記係数を前記ピークシフト演算部で算出された前記ピークシフト量の変化に対応して補正するための補正値を生成し、前記各波形整形部に設定されている前記係数と前記補正値とを比較し、この比較結果に基づいて前記係数を更新する係数比較部とから構成されていることを特徴としている。
【００１７】
請求項５記載の発明は、請求項４記載の磁気テープ記録再生装置に係り、前記係数比較部は、前記各波形整形部に設定されている前記係数を前記ピークシフト演算部で算出された前記ピークシフト量の変化に対応して補正するための補正値を生成する補正回路と、前記各波形整形部に設定されている前記係数と前記補正値とを比較し、この比較結果に基づいて前記係数を更新する係数比較回路とから構成されていることを特徴としている。
【００１８】
請求項６記載の発明は、磁気テープに設定されたｎ個（ｎ；２以上の任意の自然数）のトラック上に記録されたデータを再生する磁気テープ記録再生装置に用いられ、波形整形用の繰り返し磁化パターンを前記磁気テープに書き込んでおき、再生データの波形を前記繰り返し磁化パターンに基づいて整形する波形整形方法に係り、前記繰り返し磁化パターンの磁化反転時点に対する前記再生データ中の前記繰り返し磁化パターンの波形のピークが到来する時点の時間差を表すピークシフト量を求め、該ピークシフト量に基づいて波形整形用の係数を設定する係数設定処理と、前記磁気テープに設定されたｎ個のトラック上のデータを読み出し、読み出された前記各データに対して、設定された前記係数に基づいて波形整形を行って前記再生データを出力する波形整形処理とを行うことを特徴としている。
【００１９】
請求項７記載の発明は、磁気テープに設定されたｎ個（ｎ；２以上の任意の自然数）のトラック上に記録されたデータを再生する磁気テープ記録再生装置に用いられ、波形整形用の繰り返し磁化パターンを前記磁気テープに書き込んでおき、再生データの波形を前記繰り返し磁化パターンに基づいて整形する波形整形方法に係り、前記再生データ中の前記波形整形用磁化パターンを認識してパターン認識信号を出力するパターン認識処理と、前記パターン認識信号が出力されたとき、前記繰り返し磁化パターンの磁化反転時点に対する前記再生データ中の前記繰り返し磁化パターンの波形のピークが到来する時点の時間差を表すピークシフト量を求め、該ピークシフト量に基づいて波形整形用の係数を設定する係数設定処理と、前記磁気テープに設定されたｎ個のトラック上のデータを読み出し、読み出された前記各データに対して、設定された前記係数に基づいて波形整形を行って前記再生データを出力する波形整形処理とを行うことを特徴としている。
【００２０】
請求項８記載の発明は、請求項６又は７記載の波形整形方法に係り、前記係数設定処理では、前記ピークシフト量が減少するように前記係数を設定することを特徴としている。
【００２１】
請求項９記載の発明は、請求項６、７又は８記載の波形整形方法に係り、前記係数設定処理では、前記再生データのピークを検出するピーク検出処理と、前記ピーク検出処理で検出された前記ピークの時間間隔と前記繰り返し磁化パターンの磁化反転時点とに基づいて前記ピークシフト量を演算するピークシフト演算処理と、設定されている前記係数を前記ピークシフト演算処理で算出された前記ピークシフト量の変化に対応して補正するための補正値を生成する補正値生成処理と、設定されている前記係数と前記補正値とを比較し、この比較結果に基づいて前記係数を更新する係数更新処理とを行うことを特徴としている。
【００２２】
【発明の実施の形態】
以下、図面を参照して、この発明の実施の形態について説明する。
図１は、この発明の実施形態である磁気テープ記録再生装置の要部の電気的構成を示すブロック図である。
この形態の磁気テープ装置５０は、同図に示すように、磁気ヘッド５１ｎ（ｎ＝２，…，Ｎ、たとえばＮ＝９）と、増幅器５２ｎと、ＡＧＣ回路６０ｎと、ピーク検出器８０ｎと、ピークシフト演算器９０ｎと、係数比較器１００ｎと、ドライブ制御回路１３０とから構成されている。磁気ヘッド５１ｎは、磁気テープＭＴに記録されたｎトラックのデータを読み出す。増幅器５２ｎは、磁気ヘッド５１ｎで読み出されたデータＡｎを増幅してデータＢｎを出力する。
【００２３】
ＡＧＣ回路６０ｎは、ＧＣＡ６１ｎと、全波整流回路６２ｎと、帰還増幅器６３ｎと、イコライザ７０ｎとから構成されている。ＧＣＡ６１ｎは、制御電圧Ｆｎによって増幅率が変化し、データＢｎを増幅してデータＣｎを出力する。イコライザ７０ｎは、設定された係数Ｐｎａ，Ｐｎｂに基づいてデータＣｎに対して波形整形を行い、再生データＤｎを出力する。全波整流回路６２ｎは、再生データＤｎに対して全波整流してデータＥｎを出力する。帰還増幅器６３ｎは、データＥｎを増幅して制御電圧Ｆｎを出力し、ＧＣＡ６１ｎに供給する。このＡＧＣ回路６０ｎは、データＢｎに対して波形整形を行うと共に所定の振幅値に調整して再生データＤｎを出力する。ドライブ制御回路１３０は、再生データＤｎに対して、たとえばＡ／Ｄ変換など、所定の処理を行うと共に、特に、この実施形態では、イコライザ７０ｎの特性を調整するための繰り返し磁化パターンが磁気テープＭＴに書き込まれているとき、再生データＤｎ中の同繰り返し磁化パターンを認識してパターン認識信号Ｍｎを出力する。
【００２４】
ピーク検出器８０ｎは、ＡＧＣ回路６０ｎから出力された再生データＤｎのピークの時刻を表すピークデータＫｎを検出する。ピークシフト演算器９０ｎは、ピーク検出器８０ｎで検出されたピークデータＫｎの時間間隔と、ドライブ制御回路１３０から供給されるリードタイミングｍｎとに基づいて、同磁化反転時点ｍｎに対する再生データＤｎ中の繰り返しパターンの波形のピークが到来する時点の時間差を表すピークシフト量Ｌｎを演算する。リードタイミングｍｎは、前記繰り返し磁化パターンの磁化反転時点に対応している。係数比較器１００ｎは、ドライブ制御回路１３０からパターン認識信号Ｍｎが出力されたとき、イコライザ７０ｎに設定されている係数Ｐｎａ，Ｐｎｂをピークシフト演算器９０ｎで算出されたピークシフト量Ｌｎの変化に対応して補正するための補正値を生成し、同イコライザ７０ｎに設定されている同係数Ｐｎａ，Ｐｎｂと同補正値とを比較し、この比較結果に基づいて同係数Ｐｎａ，Ｐｎｂを更新する。特に、この実施形態では、係数比較器１００ｎは、ピークシフト量Ｌｎが減少するように係数Ｐｎａ，Ｐｎｂを設定する。
【００２５】
図２は、図１中のイコライザ７０ｎの電気的構成の一例を示すブロック図である。
このイコライザ７０ｎは、遅延線（Ｄｅｌａｙ　Ｌｉｎｅ）７１ｎ，７２ｎと、可変電圧器７３ｎ，７４ｎと、増幅器７５ｎ，７６ｎと、加算器７７ｎとから構成されている。遅延線７１ｎは、ＧＣＡ６１ｎから送出されるデータＣｎを遅延して遅延データＱｎ，Ｒｎを出力する。遅延線７２ｎは、遅延データＲｎを遅延して遅延データＵｎを出力する。可変電圧器７３ｎは、係数Ｐｎａに対応した制御電圧Ｘｎを生成する。可変電圧器７４ｎは、係数Ｐｎｂに対応した制御電圧Ｙｎを生成する。増幅器７５ｎは、遅延データＵｎを制御電圧Ｘｎに対応した利得で増幅して遅延データＶｎを出力する。増幅器７６ｎは、遅延データＱｎを制御電圧Ｙｎに対応した利得で増幅して遅延データＷｎを出力する。加算器７７ｎは、遅延データＶｎ、遅延データＲｎ及び遅延データＷｎを加算して再生データＤｎを出力する。
【００２６】
図３は、図１中のピーク検出器８０ｎの電気的構成の一例を示すブロック図である。
このピーク検出器８０ｎは、微分器８１ｎと、ゼロクロス検出器８２ｎと、ＡＤＣ（アナログ／ディジタル変換器）８３ｎとから構成されている。微分器８１ｎは、イコライザ７０ｎから出力された再生データＤｎを微分して微分データａｎを出力する。ゼロクロス検出器８２ｎは、微分データａｎが０となる点（ゼロクロス点）を検出して再生データＤｎのピーク点（ピークが発生する時刻）ｂｎを検出する。ＡＤＣ８３ｎは、ピーク点ｂｎをＡ／Ｄ変換してピークデータＫｎを出力する。
【００２７】
図４は、図１中のピークシフト演算器９０ｎの電気的構成の一例を示すブロック図である。
このピークシフト演算器９０ｎは、ｔ１検出器９１ｎと、ｔ２検出器９２ｎと、除算器９３ｎと、演算回路９４ｎとから構成されている。ｔ１検出器９１ｎは、ピークデータＫｎとリードタイミングｍｎとを解析し、磁化反転時間が短いためにピークシフトが起こりやすい時間ｔ１を検出する。
【００２８】
ｔ２検出器９２ｎは、ピークデータＫｎとリードタイミングｍｎとを解析し、時間ｔ１よりも磁化反転時間が長く、ピークシフトが起こりにくい時間ｔ２を検出する。除算器９３ｎは、ｔ１／ｔ２の除算値ｅｎを算出する。演算回路９４ｎは、除算値ｅｎに基づいてピークシフト量Ｌｎを算出する。
【００２９】
図５は、図１中の係数比較器１００ｎの電気的構成の一例を示すブロック図である。
この係数比較器１００ｎは、補正回路１１０ｎと、係数比較回路１２０ｎとから構成されている。補正回路１１０ｎは、ドライブ制御回路１３０からパターン認識信号Ｍｎが出力されたとき、イコライザ７０ｎに設定されている係数Ｐｎａ，Ｐｎｂをピークシフト演算器９０ｎで算出されたピークシフト量Ｌｎの変化に対応して補正するための補正値ｆｎａ，ｆｎｂを生成する。係数比較回路１２０ｎは、イコライザ７０ｎに設定されている係数Ｐｎａ，Ｐｎｂと補正値ｆｎａ，ｆｎｂとを比較し、この比較結果に基づいて係数Ｐｎａ，Ｐｎｂを更新する。
【００３０】
図６は、図５中の補正回路１１０ｎの電気的構成の一例を示すブロック図である。
この補正回路１１０ｎは、ビット生成器１１１ｎと、演算回路１１２ｎ，１１３ｎとから構成されている。ビット生成器１１１ｎは、たとえばＬＵＴ（Ｌｏｏｋ　Ｕｐ　Ｔａｂｌｅ　、ルック・アップ・テーブル）などから構成され、ピークシフト演算器９０ｎから算出されたピークシフト量Ｌｎに対応した補正ビットｈｎａ，ｈｎｂを出力する。特に、この実施形態では、補正ビットｈｎａ，ｈｎｂは、ピークシフト量Ｌｎが減少するように予め設定されている。演算回路１１２ｎは、補正ビットｈｎａと係数Ｐｎａとの演算（たとえば、加算、減算など）を行い、補正値ｆｎａを生成する。演算回路１１３ｎは、補正ビットｈｎｂと係数Ｐｎｂとの演算（たとえば、加算、減算など）を行い、補正値ｆｎｂを生成する。
【００３１】
図７は、図５中の係数比較回路１２０ｎの電気的構成の一例を示すブロック図である。
この係数比較回路１２０ｎは、ビット比較器１２１ｎ，１２２ｎと、ＲＡＭ（Ｒａｎｄａｍ　Ａｃｃｅｓｓ　Ｍｅｍｏｒｙ）１２３ｎ，１２４ｎとから構成されている。ビット比較器１２１ｎは、演算回路１１２ｎで生成された補正値ｆｎａとＲＡＭ１２３ｎに記憶されている係数Ｐｎａとを比較し、この比較結果に基づいて係数Ｐｎａを更新する。ビット比較器１２２ｎは、演算回路１１３ｎで生成された補正値ｆｎｂとＲＡＭ１２４ｎに記憶されている係数Ｐｎｂとを比較し、この比較結果に基づいて係数Ｐｎｂを更新する。ＲＡＭ１２３ｎは、ビット比較器１２１ｎで更新された係数Ｐｎａを記憶する。ＲＡＭ１２４ｎは、ビット比較器１２２ｎで更新された係数Ｐｎｂを記憶する。
【００３２】
図８は、繰り返しパターンが記録された磁気テープＭＴ及び同繰り返しパターンの波形を示す図、また、図９がイコライザ７０ｎの動作を説明するための波形図である。
これらの図を参照して、この形態の波形整形方法について説明する。
この磁気テープ記録再生装置５０では、磁気テープＭＴに記録されたｎトラックのデータが磁気ヘッド５１ｎで読み出され、同磁気ヘッド５１ｎで読み出されたデータＡｎが増幅器５２ｎで増幅されてデータＢｎが出力される。データＢｎは、ＡＧＣ回路６０ｎに設定された特性に基づいて波形整形が行われると共に所定の振幅値に調整され、同ＡＧＣ回路６０ｎから再生データＤｎが出力される。この場合、ＡＧＣ回路６０ｎでは、ＧＣＡ６１ｎの増幅率は制御電圧Ｆｎによって制御され、データＢｎが同ＧＣＡ６１ｎで増幅され、同ＧＣＡ６１ｎからデータＣｎが出力される。データＣｎは、イコライザ７０ｎに設定された特性に基づいて波形整形され、同イコライザ７０ｎから再生データＤｎが出力される。再生データＤｎは全波整流回路６２ｎで全波整流され、同全波整流回路６２ｎからデータＥｎが出力される。データＥｎは帰還増幅器６３ｎで増幅され、同帰還増幅器６３ｎから前記制御電圧Ｆｎが出力される。
【００３３】
この後、再生データＤｎは、ドライブ制御回路１３０に入力されて所定の処理が行われる。そして、図８（ａ）に示すように、イコライザ７０ｎの特性を調整するための繰り返し磁化パターンが磁気テープＭＴに書き込まれているとき、再生データＤｎ中の同繰り返し磁化パターンがドライブ制御回路１３０で認識され、パターン認識信号Ｍｎが出力される（パターン認識処理）。
【００３４】
一方、ＡＧＣ回路６０ｎから出力された再生データＤｎは、ピーク検出器８０ｎでピークが検出され、同ＡＧＣ回路６０ｎからピークデータＫｎが出力される（ピーク検出処理）。この場合、再生データＤｎが微分器８１ｎで微分され、同微分器８１ｎから微分データａｎが出力される。微分データａｎはゼロクロス検出器８２ｎでゼロクロス点が検出され、同ゼロクロス検出器８２ｎから再生データＤｎのピーク点ｂｎが出力される。ピーク点ｂｎはＡＤＣ８３ｎでＡ／Ｄ変換され、同ＡＤＣ８３ｎからピークデータＫｎが出力される。
【００３５】
図８（ｂ）に示すように、再生データＤｎの波形は、磁気テープＭＴに記録されたデータの各磁化反転時点（リードタイミングｍｎ）に対応した各孤立波の波形（破線）が重畳されたものである。このため、再生データＤｎの波形のピーク位置は、立ち上がり及び立ち下がりにおいて、実際の各磁化反転時点に対して時間差が生じる。この時間のずれ量がピークシフト量Ｌｎである。ピークシフト演算器９０ｎでは、ピーク検出器８０ｎで検出されたピークデータＫｎの時間間隔に基づき、再生データＤｎ中の繰り返しパターンの波形のピークシフト量Ｌｎが演算される（ピークシフト演算処理）。
【００３６】
この場合、まず、ｔ１検出器９１ｎにおいて、ピークデータＫｎが解析され、磁化反転時間が短く、ピークシフトが起こりやすい時間ｔ１
ｔ１＝（２Ｔ＋ピークシフト量Ｌｎ）×速度変動成分
ただし、
Ｔ；リードタイミング時間
が検出される。また、ｔ２検出器９２ｎにおいて、ピークデータＫｎが解析され、時間ｔ１よりも磁化反転時間が長く、ピークシフトが起こりにくい時間ｔ２
ｔ２＝５Ｔ×速度変動成分
ただし、
Ｔ；リードタイミング時間
が検出される。
【００３７】
除算器９３ｎでは、ｔ１／ｔ２の除算値ｅｎ
2004110974.tif 000003
が算出される。演算回路９４ｎでは、除算値ｅｎからピークシフト量Ｌｎ
Ｌｎ＝（ｅｎ−０．４）×５Ｔ
が算出される。
【００３８】
ドライブ制御回路１３０から繰り返しパターン認識信号Ｍｎが出力されたとき、係数比較器１００ｎでは、イコライザ７０ｎに設定されている係数Ｐｎａ，Ｐｎｂを補正するための補正値が生成され、同係数Ｐｎａ，Ｐｎｂと同補正値とが比較され、この比較結果に基づいて同係数Ｐｎａ，Ｐｎｂが更新される。特に、この実施形態では、ピークシフト量Ｌｎが減少するように係数Ｐｎａ，Ｐｎｂが設定される（係数設定処理）。
【００３９】
すなわち、係数比較器１００ｎでは、ドライブ制御回路１３０からパターン認識信号Ｍｎが出力されたとき、補正回路１１０ｎにおいて、ピークシフト量Ｌｎの変化に対応して係数Ｐｎａ，Ｐｎｂを補正するための補正値ｆｎａ，ｆｎｂが生成される（補正値生成処理）。この場合、ビット生成器１１１ｎからピークシフト量Ｌｎに対応した補正ビットｈｎａ，ｈｎｂが出力される。補正ビットｈｎａは演算回路１１２ｎで係数Ｐｎａと演算され、同演算回路１１２ｎから補正値ｆｎａが出力される。また、補正ビットｈｎｂは演算回路１１３ｎで係数Ｐｎｂと演算され、同演算回路１１３ｎから補正値ｆｎｂが出力される。
【００４０】
係数比較回路１２０ｎにおいて、イコライザ７０ｎに設定されている係数Ｐｎａ，Ｐｎｂと補正値ｆｎａ，ｆｎｂとが比較され、この比較結果に基づいて係数Ｐｎａ，Ｐｎｂが更新される（係数更新処理）。この場合、演算回路１１２ｎで生成された補正値ｆｎａは、ビット比較器１２１ｎでＲＡＭ１２３ｎに記憶されている係数Ｐｎａと比較され、この比較結果が同一になったときに同補正値ｆｎａが同ＲＡＭ１２３ｎに送出されて同係数Ｐｎａが更新される。演算回路１１３ｎで生成された補正値ｆｎｂは、ビット比較器１２２ｎでＲＡＭ１２４ｎに記憶されている係数Ｐｎｂと比較され、この比較結果が同一になったときに同補正値ｆｎｂが同ＲＡＭ１２４ｎに送出されて同係数Ｐｎｂが更新される。
【００４１】
イコライザ７０ｎでは、図９（ａ），（ｂ）に示すように、ＧＣＡ６１ｎから送出されたデータＣｎは遅延線７１ｎで遅延され、同遅延線７１ｎから遅延データＱｎ，Ｒｎが出力される。遅延データＲｎは遅延線７２ｎで遅延され、同遅延線７２ｎから遅延データＵｎが出力される。一方、可変電圧器７３ｎから係数Ｐｎａに対応した制御電圧Ｘｎが出力され、可変電圧器７４ｎから係数Ｐｎｂに対応した制御電圧Ｙｎが出力される。そして、図９（ｃ）に示すように、遅延データＵｎは増幅器７５ｎで制御電圧Ｘｎに対応した利得で増幅され、同増幅器７５ｎから遅延データＶｎが出力される。また、遅延データＱｎは増幅器７６ｎで制御電圧Ｙｎに対応した利得で増幅され、同増幅器７６ｎから遅延データＷｎが出力される。遅延データＶｎ、遅延データＲｎ及び遅延データＷｎは加算器７７ｎで加算され、図９（ｄ）に示すように、同加算器７７ｎから係数Ｐｎａ，Ｐｎｂに基づいて特性が調整された再生データＤｎが出力される（波形整形処理）。
【００４２】
以上のように、この実施形態では、ＡＧＣ回路６０ｎから出力された再生データＤｎのピークデータＫｎをピーク検出器８０ｎで検出し、同ピークデータＫｎの時間間隔に基づいて同再生データＤｎ中の繰り返しパターンの波形のピークシフト量Ｌｎを演算し、係数比較器１００ｎで同ピークシフト量Ｌｎが減少するようにイコライザ７０ｎの係数Ｐｎａ，Ｐｎｂを設定するので、再生データＤｎにリードエラーが発生せず、信頼性が向上する。また、磁気テープＭＴが交換されても、磁気テープＭＴ毎にイコライザ７０ｎの係数Ｐｎａ，Ｐｎｂの調整が可能となるので、再生データＤｎの信頼性が向上する。
【００４３】
以上、この発明の実施形態を図面により詳述してきたが、具体的な構成はこの実施形態に限られるものではなく、この発明の要旨を逸脱しない範囲の設計の変更などがあっても、この発明に含まれる。
たとえば、図１中のＡＧＣ回路６０ｎでは、全波整流回路６２ｎは、ＧＣＡ６１ｎの出力側に接続されていても、上記実施形態とほぼ同様の作用、効果が得られる。また、磁気ヘッド５１ｎの数は、９の他、たとえば１８などでも良い。ピーク検出器８０ｎは、再生データＤｎのピークデータＫｎを検出するものであれば、任意の構成のもので良い。ピークシフト演算器９０ｎは、ピークシフト量Ｌｎを演算するものであれば、任意の構成のもので良い。係数比較器１００ｎは、ピークシフト量Ｌｎが減少するようにイコライザ７０ｎの係数Ｐｎａ，Ｐｎｂを設定するものであれば、任意の構成のもので良い。
【００４４】
【発明の効果】
以上説明したように、この発明の構成によれば、各波形整形部から出力された再生データのピークをピーク検出部で検出し、同ピークの時間間隔と繰り返し磁化パターンの磁化反転時点とに基づいて同再生データ中の繰り返し磁化パターンの波形のピークシフト量を演算し、係数比較部で同ピークシフト量が減少するように各波形整形部の係数を設定するので、再生データにリードエラーが発生せず、信頼性を向上できる。また、磁気テープが交換されても、同磁気テープ毎に各波形整形部の係数の調整が可能となるので、再生データの信頼性を向上できる。
【図面の簡単な説明】
【図１】この発明の実施形態である磁気テープ記録再生装置の要部の電気的構成を示すブロック図である。
【図２】図１中のイコライザ７０ｎの電気的構成の一例を示すブロック図である。
【図３】図１中のピーク検出器８０ｎの電気的構成の一例を示すブロック図である。
【図４】図１中のピークシフト演算器９０ｎの電気的構成の一例を示すブロック図である。
【図５】図１中の係数比較器１００ｎの電気的構成の一例を示すブロック図である。
【図６】図５中の補正回路１１０ｎの電気的構成の一例を示すブロック図である。
【図７】図５中の係数比較回路１２０ｎの電気的構成の一例を示すブロック図である。
【図８】繰り返しパターンが記録された磁気テープＭＴ及び同繰り返しパターンの波形を示す図である。
【図９】イコライザ７０ｎの動作を説明するための波形図である。
【図１０】従来の磁気テープ記録再生装置の要部の電気的構成を示すブロック図である。
【図１１】図１０中のイコライザ３０ｎの電気的構成の一例を示すブロック図である。
【符号の説明】
５０　　　磁気テープ記録再生装置
５１ｎ（ｎ＝２，…，Ｎ、たとえばＮ＝９）　　　磁気ヘッド
５２ｎ　　　増幅器
６０ｎ　　　ＡＧＣ（Ａｕｔｏ　ＧａｉｎＣｏｎｔｒｏｌ　）回路（波形整形部）
６１ｎ　　　ＧＣＡ（ＧａｉｎＣｏｎｔｒｏｌ　Ａｍｐ）
６２ｎ　　　全波整流回路
６３ｎ　　　帰還増幅器
７０ｎ　　　イコライザ（波形整形部）
７１ｎ，７２ｎ　　　遅延線（Ｄｅｌａｙ　Ｌｉｎｅ）
７３ｎ，７４ｎ　　　可変電圧器
７５ｎ，７６ｎ　　　増幅器
７７ｎ　　　加算器
８０ｎ　　　ピーク検出器（係数設定部）
８１ｎ　　　微分器
８２ｎ　　　ゼロクロス検出器
８３ｎ　　　ＡＤＣ（アナログ／ディジタル変換器）
９０ｎ　　　ピークシフト演算器（係数設定部）
９１ｎ　　　ｔ１検出器
９２ｎ　　　ｔ２検出器
９３ｎ　　　除算器
９４ｎ　　　演算回路
１００ｎ　　　係数比較器（係数比較部）
１１０ｎ　　　補正回路
１２０ｎ　　　係数比較回路
１１０ｎ　　　補正回路（係数比較部）
１１１ｎ　　　ビット生成器
１１２ｎ，１１３ｎ　　　演算回路
１２０ｎ　　　係数比較回路（係数比較部）
１２１ｎ，１２２ｎ　　　ビット比較器
１２３ｎ，１２４ｎ　　ＲＡＭ（Ｒａｎｄａｍ　Ａｃｃｅｓｓ　Ｍｅｍｏｒｙ）
１３０　　　ドライブ制御回路（パターン認識部、制御部）
【図１】
2004110974.tif 000004
【図２】
2004110974.tif 000005
【図３】
2004110974.tif 000006
【図４】
2004110974.tif 000007
【図５】
2004110974.tif 000008
【図６】
2004110974.tif 000009
【図７】
2004110974.tif 000010
【図８】
2004110974.tif 000011
【図９】
2004110974.tif 000012
【図１０】
2004110974.tif 000013
【図１１】
2004110974.tif 000014